【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
結合された変調された信号を出力するためのポートを含む光バスと、
第1の光学的波長で第1の光学的信号を生成するための第1のレーザと、
前記第1の光学的信号を、第1の変調信号によって搬送された情報で変調して、第1の変調された光信号を生成するようにされた第1の同調可能な変調器であって、第1の同調可能な変調器が、第１の同調可能な変調器の前の第１の光信号、又は、第１の同調可能な変調器の後の第１の変調された光信号、の少なくとも１つの強度に基づいて同調可能なように構成されるものと、
第１の変調された光信号を、前記光バスに加えるように構成された第１のフィルタ多重器と、
第２の光学的波長において第２の光学的信号を生成するための第２のレーザと、
第２の光信号を、第２の変調信号によって搬送された情報で変調して、第２の変調された光信号を生成するように構成される第２の同調可能な変調器であって、第２の同調可能な変調器が、第２の同調可能な変調器の前の第２の光信号、又は、第２の同調可能な変調器の後の第２の変調された光信号、の少なくとも１つの強度に基づいて同調可能なように構成されるものと、
前記第２の変調された光信号を、第１の変調された光信号と共に、光バスに加えて、結合された、変調された信号を生成するように構成される第２のフィルタ多重器と、
を備えるWDM送信器システム。
【請求項２】
第１と第２のフィルタ多重器の各々が、マイクロリングフィルタ多重器を備え、
第１及び第２の同調可能な変調器の各々が、マイクロリング変調器を備え、
第１及び第２のフィルタ多重器、及び、第１及び第２の同調可能な変調器が、単一のチップの上に配置される、
請求項１に記載のWDM送信器システム。
【請求項３】
第１の光信号の一部をタップオフするための、前記第１のレーザと前記第１の同調可能な変調器の間に配置される第１の信号スプリッタと、
第１の光電流を生成するために、第１の光信号の一部を受信するように構成される第１の光検知器と、
第１の変調された光信号の一部をタップするために、前記第１の同調可能な変調器と前記第１のフィルタ多重器の間に配置される第２の信号スプリッタと、
第２の光電流を生成するために、第１の変調された光信号の一部を受信するように構成される第２の光検知器と、
を更に備え、
第１の同調可能な変調器が、第１及び第２の光電流の少なくとも１つに基づいた第１の所望のロスが実現されるまで同調されるように構成される、
請求項１に記載のWDM送信器システム。
【請求項４】
第１の同調可能な変調器が、第１の所望の消光比を生成するための第１の光波長から、わずかにそらされた変調器共振を提供するために同調可能なように構成される、
請求項３に記載のWDM送信器システム。
【請求項５】
第２の同調可能な変調器が、第２の所望の消光比を生成するために、第２の光波長から、わずかにそらされた変調器共振を提供するために同調可能なように構成される、
請求項４に記載のWDM送信器システム。
【請求項６】
前記第１のフィルタ多重器を越えた位置において第１の変調された光信号の光照射を受信するように構成される第３の光検知器と、
第１のフィルタ多重器を同調して、第３の光検知器において受信された光照射に基づいて、第１の変調された光信号のロスを最小化するように構成されるチューナと、
を備える、請求項３に記載のWDM送信器システム。
【請求項７】
第１の光波長が第１のフィルタ多重器のピークにあるまで、チューナが、第１のフィルタ多重器を同調するために構成される、
請求項６に記載のWDM送信器システム。
【請求項８】
第３の光検知器が、前記フィルタ多重器を越えた位置における光照射から第３の光電流を生成し、
チューナが、第３の光電流が最小化されるまで第１のフィルタ多重器を同調するために構成される、
請求項６に記載のWDM送信器システム。
【請求項９】
第１のフィルタ多重器が、第１のフィルタ要素のＦＳＲを増加させ、第１と第２の変調された光信号の間の干渉を減少させるための、複数のリングフィルタを備える、請求項１に記載のWDM送信器システム。
【請求項１０】
第３の光波長において第３の光信号を生成するための第３のレーザと、
前記第３の光信号を、第３の変調信号によって搬送される情報で変調して、第３の変調された光信号を生成するように構成される第３の同調可能な変調器であって、
第３の同調可能な変調器が、第３の所望の消光比を生成するための変調器共振波長を提供するために同調可能であるように構成される
ものと、
第３の変調された光信号を、第１の及び第２の変調された光信号と共に、光バスに加えて、結合された変調された信号を生成するように構成される第３のフィルタ多重器と、
を更に備える、請求項１に記載のWDM送信器システム。
【請求項１１】
光バスから入力光信号を受信するために構成される第１のフィルタ逆多重器と、
入力光信号上に符号化された情報を回復するために第１のフィルタ逆多重器に結合される検知器と、
を更に備える、請求項１に記載のWDM送信器システム。
【請求項１２】
第１のレーザを用いて第１の光波長において第１の光信号を生成するステップと、
前記第１の光信号を、第１の変調信号によって搬送される情報で変調して、第１の同調可能な変調器を用いて第１の変調された光信号を生成するステップと、
第１の同調可能な変調器の前の第１の光信号、又は、第１の同調可能な変調器の後の第１の変調された光信号の、少なくとも１つの強度に基づいて第１の同調可能な変調器を同調するステップと、
前記第１の変調された光信号を、第１のフィルタ多重器を用いて光バスに加えるステップと、
第２のレーザを用いて、第２の光波長において第２の光信号を生成するステップと、
前記第２の光信号を、第２の変調信号によって搬送される情報で変調して、第２の同調可能な変調器を用いて第２の変調された光信号を生成するステップと、
第２の同調可能な変調器の前の第２の光信号、又は、第２の同調可能な変調器の後の第２の変調された光信号の、少なくとも１つの強度に基づいて第２の同調可能な変調器を同調するステップと、
第２の変調された光信号を、第１の変調された光信号と共に光バスに加えて、第２のフィルタ多重器を用いて、結合された変調された信号を生成するステップと、
を含む、
ＷＤＭ送信器システムを作動させる方法。
【請求項１３】
前記第１のレーザと前記第１の同調可能な変調器の間に配置される第１の信号スプリッタを用いて第１の光信号の一部をタップオフするステップと、
第１の光信号の一部を受信するように構成される第１の光検知器において第１の光電流を生成するステップと、
前記第１の同調可能な変調器と前記第１のフィルタ多重器の間に配置される第２の信号スプリッタを用いて第１の変調された光信号の一部をタップオフするステップと、
第１の変調された光信号の一部を受信するように構成される第２の光電池器において第２の光電流を生成するステップと、
第１の及び第２の光電流の少なくとも１つに基づいて、第１の所望のロスが実現されるまで、第１の同調可能な変調器を同調するステップと、
を更に含む、請求項１２に記載の方法。
【請求項１４】
第１の同調可能な変調器を同調するステップが、
第１の同調可能な変調器を同調して、第１の光波長からわずかにそれた、第１の変調器共振を提供して、第１の所望の消光比を生成するステップ、
を含む、請求項１２に記載の方法。
【請求項１５】
第２の同調可能な変調器を同調するステップが、
第２の同調可能な変調器を同調して、第２の光波長からわずかにそれた、第２の変調器共振を提供して、第２の所望の消光比を生成するステップを含む、
請求項１４に記載の方法。
【請求項１６】
前記第１のフィルタ多重器を越えた位置における第３の光検知器を用いて第１の変調された光信号の光照射を受信するステップと、
第１のフィルタ多重器を同調して、第３の光検知器において受信された光照射に基づいて、第１の変調された光信号のロスを最小化するステップと、
を更に含む、請求項１３に記載の方法。
【請求項１７】
第１のフィルタ多重器を同調するステップが、第１の光波長が、第１のフィルタ多重器のピークにあるまで第１のフィルタ多重器を同調するステップを含む、
請求項１６に記載の方法。
【請求項１８】
第３の光検知器において、前記フィルタ多重器を越えた位置における光照射から第３の光電流を生成するステップを更に含み、
第１のフィルタ多重器を同調するステップが、第３の光電流が最小化されるまで第１のフィルタ多重器を同調するステップを含む、
請求項１６に記載の方法。
【請求項１９】
第１のフィルタ逆多重器において、光バスから入力光信号を受信するステップと、
第１のフィルタ逆多重器に結合された検知器を用いて、入力光信号上に符号化された情報を回復するステップと、
を更に含む、
請求項１に記載の方法。